(57)【要約】【課題】リソグラフィ放射源において用いられる燃料小滴の流れの生成のために用いられる溶融金属燃料を濾過するための装置および方法を提供する。【解決手段】ＬＰＰまたはＤＬＰによって溶融金属燃料の小滴の流れからＥＵＶを生成するための放射源は、燃料の小滴の流れを提供するように配置された燃料小滴ジェネレータと、燃料の小滴の少なくともいくつかを気化させる少なくとも１つのレーザと、を有する。燃料小滴ジェネレータは、ノズルと、燃料供給ラインと、リザーバとを、リザーバから燃料供給ラインを通ってノズルから小滴の流れとして出る溶融金属燃料の流れを供給するように配置されたポンピングデバイスとともに有する。燃料小滴ジェネレータは、燃料供給ライン内に、使用中に溶融金属燃料を濾過するように配置された交換可能なフィルタアセンブリを有して、燃料の固体粒子不純物によるノズルの閉塞を抑止する。【選択図】図４
2017083883.tif 000002
【特許請求の範囲】
【請求項１】
燃料の小滴の流れを提供する燃料小滴ジェネレータと、前記燃料の小滴の少なくともいくつかを気化させる少なくとも１つのレーザとを有し、それによって放射が生成される放射源であって、前記燃料小滴ジェネレータは、
ノズルと、
燃料供給ラインと、
リザーバと、
前記リザーバから前記燃料供給ラインを通って前記ノズルから小滴の流れとして出る溶融金属燃料の流れを供給するポンピングデバイスと、
前記燃料供給ライン内の、使用中に前記溶融金属燃料を濾過する交換可能なフィルタアセンブリであって、該交換可能なフィルタアセンブリは、向かい合った第１面および第２面を、１つ以上のチャネルとともに有する剛性サポートプレートを有し、該各チャネルは、該第１面の各第１開口から該第２面の各第２開口を通って延在し、該剛性サポートプレートは、該第１面上の、該第１面の各第１開口にわたって延在するフィルタ膜を支持する、交換可能なフィルタアセンブリと、を備え、
前記フィルタ膜は、互いに間隔を空けた穴を、複数の該穴と位置合わせされて該複数の穴と前記各チャネルとの間に流体接続を提供する各第１開口とともに備える、放射源。
【請求項２】
前記燃料小滴ジェネレータは、
前記ノズルを備える交換可能なノズルアセンブリと、
前記ノズルアセンブリを前記燃料供給ラインに接続するためのコネクタであって、それによって前記ノズルが前記燃料供給ラインと流体接続するコネクタと、を備え、
前記フィルタアセンブリは、使用中、前記コネクタ内に保有される、請求項１に記載の放射源。
【請求項３】
前記コネクタは、使用中、前記燃料供給ラインと前記ノズルアセンブリの入口オリフィスとの間に前記フィルタアセンブリを解放可能に保持するように適合される、請求項１または２に記載の放射源。
【請求項４】
前記交換可能なノズルは、使用中、前記燃料供給ラインと前記ノズルアセンブリの入口オリフィスとの間に前記フィルタアセンブリを解放可能に保持するように適合される、請求項１または２に記載の放射源。
【請求項５】
前記フィルタアセンブリは、前記ノズルアセンブリの前記入口オリフィスに接合され、それによって前記交換可能なノズルおよび前記フィルタアセンブリは、単一のコンポーネントを形成する、請求項１または２に記載の放射源。
【請求項６】
前記剛性サポートプレートは、シリコンウェーハである、請求項１乃至５のいずれかに記載の放射源。
【請求項７】
前記フィルタ膜は、シリコン窒化膜である、請求項１乃至６のいずれかに記載の放射源。
【請求項８】
前記第１開口は、１００μｍの最大幅を有し、前記穴は３μｍの最大幅を有する、請求項１乃至７のいずれかに記載の放射源。
【請求項９】
前記フィルタアセンブリは、前記溶融金属燃料に不溶性の材料の層で被覆される、請求項１乃至８のいずれかに記載の放射源。
【請求項１０】
リソグラフィ装置であって、
請求項１乃至９のいずれかに記載の放射源と、
放射ビームを調整する照明システムと、
前記放射ビームの断面にパターンを与えてパターン形成された放射ビームを形成可能であるパターニングデバイスを支持するサポートと、
基板を保持する基板テーブルと、
前記パターン形成された放射ビームを前記基板のターゲット部分上に投影する投影システムと、を備える、
リソグラフィ装置。
【請求項１１】
デバイスリソグラフィ用の放射源において用いられる燃料の小滴の流れを提供するための、ノズルと、燃料供給ラインと、リザーバと、前記リザーバから前記燃料供給ラインを通って前記ノズルから小滴の流れとして出る溶融金属燃料の流れを供給するポンピングデバイスと、を備える燃料小滴ジェネレータであって、
前記燃料小滴ジェネレータは、前記燃料供給ライン内に、使用中に前記溶融金属燃料を濾過するフィルタアセンブリを有し、
前記フィルタアセンブリは、向かい合った第１面および第２面を、１つ以上のチャネルとともに有する剛性サポートプレートを備え、該各チャネルは、該第１面の各第１開口から該第２面の各第２開口を通って延在し、
前記剛性サポートプレートは、前記第１面に接合され、かつ該第１面の各第１開口にわたって延在するフィルタ膜を支持し、
前記フィルタ膜は、互いに間隔を空けた穴を、複数の該穴と位置合わせされて該複数の穴と前記各チャネルとの間に流体接続を提供する各第１開口とともに備える、燃料小滴ジェネレータ。
【請求項１２】
デバイスリソグラフィのための、レーザ励起により溶融金属燃料の小滴の流れを提供して放射源を提供するための燃料小滴ジェネレータ用の溶融金属燃料の供給を濾過する方法であって、前記燃料小滴ジェネレータは、ノズルと、燃料供給ラインと、リザーバと、前記リザーバから前記燃料供給ラインを通って前記ノズルから小滴の流れとして出る溶融金属燃料の流れを供給するポンピングデバイスと、を備え、該方法は、
前記燃料供給ライン内に、使用中に前記溶融金属燃料を濾過する交換可能なフィルタアセンブリを挿入かつ保有することであって、該交換可能なフィルタアセンブリは、向かい合った第１面および第２面を、１つ以上のチャネルとともに有する剛性サポートプレートを備え、該各チャネルは、該第１面の各第１開口から該第２面の各第２開口を通って延在することと、
前記第１面上の、前記第１面の各第１開口にわたって延在するフィルタ膜を支持することと、を含み、
前記フィルタ膜は、互いに間隔を空けた穴を、複数の該穴と位置合わせされて該複数の穴と前記各チャネルとの間に流体接続を提供する各第１開口とともに備える、方法。
【請求項１３】
前記交換可能なフィルタアセンブリの前記挿入は、クリーンルーム条件のもとで行われる、請求項１２に記載の方法。
【請求項１４】
前記燃料小滴ジェネレータは、前記ノズルを備える交換可能なノズルアセンブリと、前記ノズルアセンブリを前記燃料供給ラインに接続するするためのコネクタであって、それによって前記ノズルが前記燃料供給ラインと流体接続するコネクタと、を備え、前記フィルタアセンブリは、使用中、前記コネクタ内に保有される、請求項１２または１３に記載の方法。
【請求項１５】
前記コネクタは、使用中、前記燃料供給ラインと前記ノズルアセンブリの入口オリフィスとの間に前記フィルタアセンブリを解放可能に保有するように適合される、請求項１２乃至１４のいずれかに記載の方法。
【請求項１６】
前記交換可能なノズルは、使用中、前記燃料供給ラインと前記ノズルアセンブリの入口オリフィスとの間に前記フィルタアセンブリを保有するように適合される、請求項１２乃至１４のいずれかに記載の方法。
【請求項１７】
前記フィルタアセンブリは、前記ノズルアセンブリの前記入口オリフィスに接合され、それによって前記交換可能なノズルおよび前記フィルタアセンブリは、単一のコンポーネントを形成する、請求項１２乃至１４のいずれかに記載の方法。
【請求項１８】
前記フィルタアセンブリは、クリーンルーム条件のもとで前記ノズルの前記入口オリフィスに接合され、挿入前に気密封止パッケージに収納される、請求項１７に記載の方法。
【請求項１９】
前記剛性サポートプレートは、クリーンルーム条件のもとで、ウェーハをエッチングすることによって形成される、請求項１２乃至１８のいずれかに記載の方法。
【請求項２０】
前記フィルタ膜は、クリーンルーム条件のもとで、前記第１面上への膜層の成長と、該膜層のエッチングとによって形成される、請求項１９に記載の方法。
【発明の詳細な説明】
【技術分野】
【０００１】
[関連出願の相互参照]
[0001]  本出願は、２０１２年９月２日に出願された米国仮出願第６１／５３０，８０２号の利益を主張し、その全体が参照により本明細書に組み込まれる。
【０００２】
[0002]  本発明は、ＥＵＶ放射源、リソグラフィ装置、およびデバイス製造方法に関する。
【背景技術】
【０００３】
[0003]  リソグラフィ装置は、所望のパターンを基板上、通常、基板のターゲット部分上に付与する機械である。リソグラフィ装置は、例えば、集積回路（ＩＣ）の製造に用いることができる。その場合、ＩＣの個々の層上に形成される回路パターンを生成するために、マスクまたはレチクルとも呼ばれるパターニングデバイスを用いることができる。このパターンは、基板（例えば、シリコンウェーハ）上のターゲット部分（例えば、ダイの一部、または１つ以上のダイを含む）に転写することができる。通常、パターンの転写は、基板上に設けられた放射感応性材料（レジスト）層上への結像によって行われる。一般には、単一の基板が、連続的にパターニングされる隣接したターゲット部分のネットワークを含んでいる。
【０００４】
[0004]  リソグラフィは、ＩＣならびに他のデバイスおよび／または構造の製造における重要なステップの１つとして広く認識されている。しかし、リソグラフィを使用して作られるフィーチャの寸法が小さくなるにつれ、リソグラフィは、小型ＩＣあるいは他のデバイスおよび／または構造を製造できるようにするための、より重要な要因になりつつある。
【０００５】
[0005]  パターンプリンティングの限界の理論的な推定値は、式（１）に示す解像度のレイリー基準によって与えることができる：
【数１】
2017083883.tif 000003
【０００６】
[0006]  ここで、λは、使用される放射の波長であり、ＮＡは、パターンを印刷するために使用される投影システムの開口数である。ｋ１は、レイリー定数とも呼ばれるプロセス依存調整係数であり、ＣＤは、印刷されたフィーチャのフィーチャサイズ（またはクリティカルディメンジョン）である。式（１）から、フィーチャの最小印刷可能サイズの縮小は、３つの方法、すなわち露光波長λを短くすること、開口数ＮＡを大きくすること、またはｋ１の値を小さくすること、によって達成可能であるということになる。
【０００７】
[0007]  露光波長を短くし、ひいては最小印刷可能サイズを縮小するために、極端紫外線（ＥＵＶ）放射源を使用することが提案されている。ＥＵＶ放射は、５〜２０ｎｍの範囲内、例えば、１３〜１４ｎｍの範囲内、例えば、６．７ｎｍや６．８ｎｍなどの５〜１０ｎｍの範囲内の波長を有する電磁放射である。可能な放射源としては、例えば、レーザ生成プラズマ源、放電プラズマ源、または電子蓄積リングによって与えられるシンクロトロン放射に基づく放射源が含まれる。
【０００８】
[0008]  ＥＵＶ放射は、プラズマを使用して生成することができる。ＥＵＶ放射を生成する放射システムは、燃料を励起してプラズマを供給するレーザと、プラズマを収容するソースコレクタモジュールとを含むことができる。プラズマは、例えば、レーザビームを適切な材料（例えば、スズ）の粒子または小滴、適切なガス流または蒸気流（Ｘｅガス、Ｌｉ蒸気など）などの燃料に誘導することによって生成することができる。結果として得られるプラズマは、放射コレクタを使用して集光される出力放射、例えば、ＥＵＶ放射を放出する。
【０００９】
[0009]  放射コレクタは、ミラー垂直入射放射コレクタとすることができ、ミラー垂直入射放射コレクタは、放射を受け、その放射をビームに集束させる。ソースコレクタモジュールは、真空環境を提供してプラズマを支持するように配置された囲い構造またはチャンバを含むことができる。そのような放射システムは、通常、レーザ生成プラズマ（ＬＰＰ）源と呼ばれる。
【００１０】
[0010]  放射生成プラズマを生成する燃料として溶融金属燃料の小滴を用いる場合、プラズマを生成し、放射を続いて生成するために、第２レーザを設けて、第１レーザビームが小滴に入射する前に燃料小滴を予熱することができる。この手法を用いるＬＰＰ源は、デュアルレーザパルシング（ＤＬＰ）源と呼ばれることがある。
【００１１】
[0011]  燃料小滴ジェネレータは、溶融金属燃料の小滴の流れを放射源のプラズマ形成位置に提供するように配置されてよい。
【発明の概要】
【００１２】
[0013]  燃料小滴ジェネレータはノズルを含むことができ、このノズルを通って、溶融金属燃料、通常、溶融スズなどの溶融金属が圧力下で駆動されて小滴の流れとしてノズルから噴射される。燃料は、通常、入口オリフィスからノズルに入り、ノズルの出口オリフィスを通って燃料供給ラインから出る。
【００１３】
[0014]  ノズルから噴出する液体の流れの自然な分裂は、レイリー分裂として知られている。ノズルの小滴生成速度に対応するレイリー周波数は、ノズルにおける燃料の平均速度およびノズルの直径に関連する。
【数２】
2017083883.tif 000004
【００１４】
[0015]  燃料の流れのレイリー分裂は励起無しに生じることもあるが、圧電アクチュエータなどのバイブレータを用いてノズルにおける溶融金属燃料の圧力を調節または振動させることによってレイリー分裂を制御することができる。ノズルの中の圧力を調節することは、ノズルからの液体燃料の流出速度を調節し、液体燃料の流れがノズルを出た直後に制御された状態で小滴に分裂することを引き起こす。
【００１５】
[0016]  固体粒子不純物が、燃料供給ラインからノズルの入口オリフィスに供給される溶融金属燃料の供給において存在する場合、燃料小滴を生成するために用いられるノズルは、出口オリフィスでの閉塞の影響を受けやすい。特に、通常小さい断面積を有するノズルの入口オリフィスは、そのような固体粒子不純物によって閉塞され得る。フィルタ、例えば（溶融金属燃料の融点より高い融点を持つ金属またはセラミック製の）多孔性の焼結（金属またはセラミック）フィルタを用いて、溶融金属燃料をノズルの入口オリフィスまで供給する燃料供給ラインにそのようなフィルタを配置することによって、固体粒子不純物を濾過により除去することができる。しかし、そのような多孔性の焼結金属フィルタは、フィルタ自身からの粒子の剥離が発生しがちであり、フィルタ自身からのそのように剥離した金属またはセラミックなどの粒子は、ノズルの出口オリフィスを閉塞するおそれがある。フィルタを交換する際に、そのような焼結フィルタから金属またはセラミックの粒子が剥離するというリスクがある。
【００１６】
[0017]  燃料小滴ジェネレータの使用において、ノズルおよび/またはフィルタを交換することが必要な場合がある。このプロセスは、焼結粒子フィルタの腐食により固体粒子不純物が生じ、燃料小滴ジェネレータ内に堆積するというリスクにつながるおそれがあり、そのような不純物は、その後、ノズルの閉塞を招く可能性がある。
【００１７】
[0018]  本発明の１つの目的は、中でも、上述の問題のうちの少なくともいくつかを扱う、または克服する、リソグラフィ放射源において用いられる燃料小滴の流れの生成のために用いられる溶融金属燃料を濾過するための装置および方法を提供することである。特に、本発明の目的は、燃料小滴ジェネレータ内のフィルタおよび／またはノズルの交換を、後続のノズルの閉塞のリスクを軽減して、容易にするために用いることができる装置および方法を提供することである。
【００１８】
[0019]  本明細書中、「備えている、含んでいる（comprising）」または「備える、含む（comprise）」という用語は、特定された（１つ以上の）コンポーネントを含むがその他の存在も除外しないことを意味する。「本質的に〜からなっている（consisting essentially of）」または「本質的に〜からなる（consists essentially of）」という用語は、特定されたコンポーネントを含むが、不純物として存在する材料、該コンポーネントを提供するために用いられるプロセスの結果として存在する不可避な材料以外の他のコンポーネント、ならびに本発明の技術的効果を得る目的以外の目的のために追加されたコンポーネントを除外する。
【００１９】
[0020]  「備える、含む（comprises）」または「備えている、含んでいる（comprising）」という用語の使用は、必要に応じて、「本質的に〜からなる（consists essentially of）」または「本質的に〜からなっている（consisting essentially of）」の意味を含み、さらに「からなる（consists of）」または「からなっている（consisting of）」の意味を含むこともできる。
【００２０】
[0021]  本明細書に述べられた任意のおよび／または好ましい特徴は、個別にまたは必要に応じて互いに組み合わせて、特に添付の特許請求の範囲に記載されたような組み合わせで使用されてよい。本明細書中に述べられた本発明の各態様に対する任意のおよび／または好ましい特徴は、必要に応じて、本発明の他のあらゆる態様にも適用できる。
【００２１】
[0022]  本発明の第一の態様は、燃料の小滴の流れを提供するように配置された燃料小滴ジェネレータと、燃料の小滴の少なくともいくつかを気化させるように構成された少なくとも１つのレーザとを有し、それによって放射が生成される放射源であって、燃料小滴ジェネレータは、ノズルと、燃料供給ラインと、リザーバと、リザーバから燃料供給ラインを通ってノズルから小滴の流れとして出る溶融金属燃料の流れを供給するように構成されたポンピングデバイスと、を備え、
【００２２】
[0023]  燃料小滴ジェネレータは、燃料供給ライン内に、使用中に溶融金属燃料を濾過するように配置された交換可能なフィルタアセンブリを有し、
【００２３】
[0024]  交換可能なフィルタアセンブリは、向かい合った第１面および第２面を、１つ以上のチャネルとともに有する剛性サポートプレートを備え、該各チャネルは、該第１面の各第１開口から該第２面の各第２開口を通って延在し、該剛性サポートプレートは、該第１面上の、該第１面の各第１開口にわたって延在するフィルタ膜を支持し、
【００２４】
[0025]  フィルタ膜は、互いに間隔を空けた穴を、複数の該穴と位置合わせされて該複数の穴と各チャネルとの間に流体接続を提供する各第１開口とともに備える、放射源を提供する。
【００２５】
[0026]  本装置の第二の態様は、放射ビームを生成するように配置される、本発明の第一の態様の放射源を備えるリソグラフィ装置であって、放射ビームを調整するように構成された照明システムと、放射ビームの断面にパターンを与えてパターン形成された放射ビームを形成可能であるパターニングデバイスを支持するように構築されたサポートと、基板を保持するように構築された基板テーブルと、パターン形成された放射ビームを基板のターゲット部分上に投影するように構成された投影システムと、をさらに備える、リソグラフィ装置を提供する。
【００２６】
[0027]  本発明の第一の態様の放射源の一部を形成する、本明細書中に記載した燃料小滴ジェネレータが、独自に本発明の一態様として独立して考えることができると理解されたい。
【００２７】
[0028]  従って、本発明の第三の態様は、デバイスリソグラフィ用の放射源において用いられる燃料の小滴の流れを提供するための、ノズルと、燃料供給ラインと、リザーバと、リザーバから燃料供給ラインを通ってノズルから小滴の流れとして出る溶融金属燃料の流れを供給するように配置されたポンピングデバイスと、を備える燃料小滴ジェネレータであって、
【００２８】
[0029]  燃料小滴ジェネレータは、燃料供給ライン内に、使用中に溶融金属燃料を濾過するように配置されたフィルタアセンブリを有し、
【００２９】
[0030]  フィルタアセンブリは、向かい合った第１面および第２面を、１つ以上のチャネルとともに有する剛性サポートプレートを備え、該各チャネルは、該第１面の各第１開口から該第２面の各第２開口を通って延在し、
【００３０】
[0031]  該剛性サポートプレートは、第１面に接合され、かつ該第１面の各第１開口にわたって延在するフィルタ膜を支持し、
【００３１】
[0032]  フィルタ膜は、互いに間隔を空けた穴を、複数の該穴と位置合わせされて該複数の穴と各チャネルとの間に流体接続を提供する各第１開口とともに備える、燃料小滴ジェネレータを提供する。
【００３２】
[0033]  本発明の第四の態様は、デバイスリソグラフィのための、レーザ励起により溶融金属燃料の小滴の流れを提供して放射源を提供するための燃料小滴ジェネレータ用の溶融金属燃料の供給を濾過する方法であって、燃料小滴ジェネレータは、ノズルと、燃料供給ラインと、リザーバと、リザーバから燃料供給ラインを通ってノズルから小滴の流れとして出る溶融金属燃料の流れを供給するように配置されたポンピングデバイスと、を備え、
【００３３】
[0034]  該方法は、燃料供給ライン内に、使用中に溶融金属燃料を濾過するように配置された交換可能なフィルタアセンブリを挿入かつ保有することを含み、
【００３４】
[0035]  交換可能なフィルタアセンブリは、向かい合った第１面および第２面を、１つ以上のチャネルとともに有する剛性サポートプレートを備え、該各チャネルは、該第１面の各第１開口から該第２面の各第２開口を通って延在し、
【００３５】
[0036]  該方法は、第１面上の、第１面の各第１開口にわたって延在するフィルタ膜を支持することを含み、
【００３６】
[0037]  フィルタ膜は、互いに間隔を空けた穴を、複数の該穴と位置合わせされて該複数の穴と各チャネルとの間に流体接続を提供する各第１開口とともに備える、方法を提供する。
【００３７】
[0038]  本発明の放射源は、通常、ＥＵＶ（極端紫外線）などの放射を生成するように構成される。ＥＵＶ放射は、５〜２０ｎｍの範囲内、例えば１３〜１４ｎｍの範囲内、例えば６．７ｎｍや６．８ｎｍなどの５〜１０ｎｍの範囲内の波長を有してよい。
【００３８】
[0039]  燃料小滴ジェネレータは、ノズルと、燃料供給ラインと、リザーバと、リザーバから燃料供給ラインを通ってノズルから小滴の流れとして出る溶融金属燃料の流れを供給するように配置されたポンピングデバイスと、を備える。ポンピングデバイスは、単に、溶融状態の燃料を、リザーバから供給チャンバを通ってノズルの出口オリフィスから小滴の流れとして出させるためにリザーバに適用された圧力ジェネレータであってもよい。ギヤポンプなど他のあらゆる適切なポンピングデバイスが用いられてよい。
【００３９】
[0040]  燃料小滴ジェネレータは、燃料供給ライン内に、使用中、溶融金属燃料を濾過するように配置された交換可能なフィルタアセンブリを有する。通常、溶融燃料は、溶融スズとすることができる。
【００４０】
[0041]  交換可能なフィルタアセンブリは、剛性サポートプレートを有し、該剛性サポートプレートは向かい合った第１面および第２面を、１つ以上のチャネルとともに有し、該各チャネルは、該第１面の各第１開口から該第２面の各第２開口を通って延在し、該剛性サポートプレートは、該第１面上の、該第１面の各第１開口にわたって延在するフィルタ膜を支持する。フィルタ膜は、互いに間隔を空けた穴を、フィルタ膜の複数の該穴と位置合わせされて該複数の穴と各チャネルとの間に流体接続を提供する、剛性サポートプレートの第１面の各第１開口とともに備える。これによって、使用中、溶融燃料がチャネルおよび穴を通って流れることが可能になり、穴は、金属燃料中の、穴の最大幅より大きい幅を有する固体粒子不純物が穴を通過してノズルに到達することを防ぐことによって、フィルタとして機能する。
【００４１】
[0042]  適切には、穴はノズルの出口オリフィスの最小幅より小さい最大幅を有することができ、それによって、穴を通過することが可能な粒状物質は、閉塞を引き起こさずにノズルの出口オリフィスも通過するはずである。通常、穴および出口オリフィスは、円形の断面を有し得るので、その幅は直径に相当する。従って、穴は、ノズルの出口オリフィスの直径より小さい直径を有し得る。本明細書における断面積の「最大幅」が意味するものは、断面積の中心を通過しながら断面積にわたって延在する最長直線である。
【００４２】
[0043]  燃料小滴ジェネレータは、ノズルを備える交換可能なノズルアセンブリと、ノズルアセンブリを燃料供給ラインに接続するためのコネクタであって、それによってノズルが燃料供給ラインと流体接続するコネクタと、を備え得る。フィルタアセンブリは、使用中、コネクタ内に保有される。コネクタは、コネクタとしてともに機能する、燃料ラインと燃料ノズルとの相互係合接続部分を備え得る。
【００４３】
[0044]  １つの適切な構成において、コネクタは、使用中、燃料供給ラインとノズルアセンブリの入口オリフィスとの間にフィルタアセンブリを解放可能に保持するように適合され得る。
【００４４】
[0045]  別の適切な構成において、交換可能なノズルは、使用中、燃料供給ラインとノズルアセンブリの入口オリフィスとの間にフィルタアセンブリを解放可能に保持するように適合さ得る。
【００４５】
[0046]  別の適切な構成において、フィルタアセンブリは、ノズルアセンブリの入口オリフィスに接合され、それによって交換可能なノズルおよびフィルタアセンブリは、単一のコンポーネントを形成し得る。
【００４６】
[0047]  フィルタアセンブリの剛性サポートプレートは、半導体材料のウェーハなどの固体ウェーハ、例えばシリコンウェーハとすることができる。通常、剛性サポートプレートは、単結晶シリコンウェーハなどの単結晶半導体ウェーハとすることができる。
【００４７】
[0048]  フィルタ膜は、剛性サポートプレートの第１面に接合することが可能なあらゆる適切な材料から形成され得るが、エピタキシャル成長、酸化、または化学気相蒸着などの成長によって剛性サポートプレートの第１面上に提供することが可能な材料から形成されることが適切である。例えば、剛性サポートプレートをシリコンから形成する場合、膜は、適切には、例えば、シリカ、アルミナ、または窒化シリコンの膜とすることができる。好ましくは、剛性サポートプレートはシリコンから形成され、膜は窒化シリコンから形成される。
【００４８】
[0049]  第１開口は、適切には、１００μｍの最大幅を有することができ、穴は、適切には、３μｍの最大幅を有することができる。剛性サポートプレートの厚さは、フィルタアセンブリに強度および剛性を与えるためのものであり、例えば、１００〜１０００μｍ、例えば、２００〜６００μｍ、３００〜５００μｍ（３８０μｍなど）とすることができる。剛性サポートプレートの第１面上に支持されるフィルタ膜は、厚さ０．１〜５μｍなど、実質的により薄くすることができる。
【００４９】
[0050]  フィルタアセンブリ全体は、溶融金属燃料（例えば、溶融スズ）に不溶性の材料の層で被覆され得る。例えば、第２面および開口の内側壁を含むフィルタアセンブリ全体は、窒化シリコンの薄層で被覆され得る。この層は、厚さ１μｍ未満、例えば、厚さ０．５μｍ未満または厚さ０．２μｍ未満とすることができる。
【００５０】
[0051]  適切には、交換可能なフィルタアセンブリの挿入は、クリーンルーム条件のもとで行われる。クリーンルーム条件が意味するものは、低レベルの浮遊粒子を有する環境である。通常、これは、空気１立法メートル当たりの特定のサイズの粒子の数で特定される。クリーンルーム条件が意味するものは、少なくともＩＳＯ６（１立方メートル当たり１μｍ以上の直径の粒子８３２０個未満）、好ましくは、少なくともＩＳＯ５（１立方メートル当たりそのような粒子８３２個未満）、より好ましくは、少なくともＩＳＯ４（１立方メートル当たりそのような粒子８３個未満）である。
【００５１】
[0052]  フィルタアセンブリがノズルアセンブリの入口オリフィスに接合され、それによって交換可能なノズルおよびフィルタアセンブリが単一のコンポーネントを形成する場合、ノズルの入口オリフィスへの、フィルタアセンブリのそのような接合は、クリーンルーム条件のもとで行うことができ、フィルタアセンブリが接合されたノズルアセンブリは、挿入前に、気密封止パッケージに適切に収納することができる。そのような接合は、熱接合、陽極接合などの適切な接合手段によって、または接着によって行うことができる。
【００５２】
[0053]  適切には、フィルタアセンブリは、ＭＥＭＳ製造（微小電気機械システム製造）によって形成することができる。これは、通常、いわゆるマイクロマシニング用の機械デバイスの製造に適用される集積回路製造のために従来用いられてきたような技術を伴う。例えば、剛性サポートプレートは、クリーンルーム条件のもとで半導体ウェーハなどのウェーハのエッチングによって形成することができる。例えば、フィルタ膜は、フィルタ膜に穴を形成するなどのために、剛性サポートプレートの第一面上への膜層の成長によって（例えば、エピタキシャル成長、化学気相蒸着によって、または酸化によって）、およびクリーンルーム条件のもとで膜層のエッチングによって形成することができる。
【００５３】
[0054]  パターン形成されたレジストまたはマスク層を用いて化学ウェットエッチングなどのエッチング技術を採用して、エッチングプロセスを制御することができる。等方性または異方性エッチング、例えばドライエッチングは、反応性イオンエッチングなどを用いて採用することができる。例えば剛性サポートプレートがシリコンで形成される場合、剛性サポートプレートに実質的に均一な幅を有するチャネルを設けることができる１つの適切な技術は、いわゆるＤＲＩＥエッチング（深反応性イオンエッチング）である。シリコンのエッチングは、例えば、Ｃ４Ｆ８の堆積を用いる交互側壁パッシベーションと組み合わせたＳＦ６／酸素エッチングによって行われる。
【００５４】
[0055]本発明のさらなる特徴および利点、ならびに本発明のさまざまな実施形態の構造および動作を、添付の図面を参照して以下に詳細に説明する。なお本発明は、本明細書に記載の特定の実施形態に限定されない。このような実施形態は、例示のためにのみ本明細書で示される。本明細書の教示に基づいて、追加の実施形態が当業者には明らかであろう。
【図面の簡単な説明】
【００５５】
[0057]  本発明のいくつかの実施形態を、単なる例として、添付の概略図を参照して以下に説明する。これらの図面において同じ参照符号は対応する部分を示す。
【００５６】
【図１】[0058]  図１は、本発明の一実施形態に係るリソグラフィ装置を概略的に示す。
【図２】[0059]  図２は、ＬＰＰソースコレクタモジュールを含む、図１のリソグラフィ装置のより詳細な図である。
【図３】[0060]  図３Ａ〜図３Ｃは、図１および図２に示すリソグラフィ装置の一部を形成し得る、本発明に係る放射源の一部を形成するフィルタアセンブリの第１実施形態を概略的に示す。
【図４】[0061]  図４Ａ〜図４Ｃは、図１および図２に示すリソグラフィ装置の一部を形成し得る、本発明に係る放射源の一部を形成するフィルタアセンブリの第２実施形態を概略的に示す。
【図５】[0062]  図５は、本発明に係る流体小滴ジェネレータの一実施形態の一部を通る断面を概略的に示し、燃料供給ラインとノズルアセンブリとの間の接続構成を示す。
【００５７】
[0063]  本発明の特徴および利点は、これらの図面と併せて以下に記載される詳細な説明からより明らかになるであろう。図面において、同じ参照記号は、全体を通じて対応する要素を特定する。図面において、同じ参照番号は、基本的に、同一の、機能的に同様な、および／または構造的に同様な要素を示す。ある要素が初めて登場する図面は、対応する参照番号における左端の数字によって示される。
【発明を実施するための形態】
【００５８】
[0065]  本明細書は、本発明の特徴を組み込んだ１つ以上の実施形態を開示する。開示される実施形態は本発明を例示するに過ぎない。本発明の範囲は開示される実施形態に限定されない。
【００５９】
[0066]  説明される（１つ以上の）実施形態、および明細書中の「一実施形態」、「ある実施形態」、「例示的な実施形態」等への言及は、説明される実施形態が特定の特徴、構造、または特性を含み得ることを示すが、必ずしもすべての実施形態がその特定の特徴、構造、または特性を含んでいなくてもよい。また、かかる表現は、必ずしも同じ実施形態を指すものではない。また、特定の特徴、構造、または特性がある実施形態に関連して説明される場合、かかる特徴、構造、または特性を他の実施形態との関連においてもたらすことは、それが明示的に説明されているか否かにかかわらず、当業者の知識内のことであると理解される。
【００６０】
[0067]  図１は、本発明の一実施形態に係るソースコレクタモジュールＳＯを含むリソグラフィ装置１００を概略的に示している。このリソグラフィ装置は、
【００６１】
[0068]  −放射ビームＢ（例えば、ＥＵＶ放射）を調整するように構成された照明システム（イルミネータ）ＩＬと、
【００６２】
[0069]  −パターニングデバイス（例えば、マスクまたはレチクル）ＭＡを支持するように構築され、かつパターニングデバイスを正確に位置決めするように構成された第１ポジショナＰＭに連結されたサポート構造（例えば、マスクテーブル）ＭＴと、
【００６３】
[0070]  −基板（例えば、レジストコートウェーハ）Ｗを保持するように構築され、かつ基板を正確に位置決めするように構成された第２ポジショナＰＷに連結された基板テーブル（例えば、ウェーハテーブル）ＷＴと、
【００６４】
[0071]  −パターニングデバイスＭＡによって放射ビームＢに付けられたパターンを基板Ｗのターゲット部分Ｃ（例えば、１つ以上のダイを含む）上に投影するように構成された投影システム（例えば、反射投影システム）ＰＳと、を備える。
【００６５】
[0072]  照明システムとしては、放射を誘導し、整形し、または制御するための、屈折型、反射型、磁気型、電磁型、静電型、またはその他のタイプの光学コンポーネント、あるいはそれらのあらゆる組合せなどのさまざまなタイプの光学コンポーネントを含むことができる。
【００６６】
[0073]  サポート構造ＭＴは、パターニングデバイスの向き、リソグラフィ装置の設計、および、パターニングデバイスが真空環境内で保持されているか否かなどの他の条件に応じた態様で、パターニングデバイスＭＡを保持する。サポート構造は、機械式、真空式、静電式またはその他のクランプ技術を使って、パターニングデバイスを保持することができる。サポート構造は、例えば、必要に応じて固定または可動式にすることができるフレームまたはテーブルであってもよい。サポート構造は、パターニングデバイスを、例えば、投影システムに対して所望の位置に確実に置くことができる。
【００６７】
[0074]  「パターニングデバイス」という用語は、基板のターゲット部分内にパターンを作り出すように、放射ビームの断面にパターンを与えるために使用できるあらゆるデバイスを指していると、広く解釈されるべきである。放射ビームに付与されたパターンは、集積回路などのターゲット部分内に作り出されるデバイス内の特定機能層に対応し得る。
【００６８】
[0075]  パターニングデバイスは、透過型であっても、反射型であってもよい。パターニングデバイスの例としては、マスク、プログラマブルミラーアレイ、およびプログラマブルＬＣＤパネルが含まれる。マスクは、リソグラフィでは公知であり、バイナリ、レベンソン型(alternating)位相シフト、およびハーフトーン型(attenuated)位相シフトなどのマスク型、ならびに種々のハイブリッドマスク型を含む。プログラマブルミラーアレイの一例では、小型ミラーのマトリックス配列が用いられており、各小型ミラーは、入射する放射ビームを様々な方向に反射させるように、個別に傾斜させることができる。傾斜されたミラーは、ミラーマトリックスによって反射される放射ビームにパターンを付ける。
【００６９】
[0076]  照明システムなどの投影システムは、使われている露光放射にとって、あるいは真空の使用といった他の要因にとって適切な、屈折型、反射型、磁気型、電磁型、静電型、またはその他のタイプの光学コンポーネント、あるいはそれらのあらゆる組合せなどのさまざまなタイプの光学コンポーネントを含むことができる。ＥＵＶ放射に対して真空を用いることが望ましいことがある。というのは、ガスは放射を吸収し過ぎる場合があるからである。従って、真空壁および真空ポンプを用いて、真空環境をビーム経路全体に提供することができる。
【００７０】
[0077]  本明細書に示されているとおり、リソグラフィ装置は、反射型のもの（例えば、反射型マスクを採用しているもの）である。
【００７１】
[0078]  リソグラフィ装置は、２つ（デュアルステージ）以上の基板テーブル（および／または２つ以上のマスクテーブル）を有する型のものであってもよい。そのような「マルチステージ」マシンにおいては、追加のテーブルは並行して使うことができ、または予備工程を１つ以上のテーブル上で実行しつつ、別の１つ以上のテーブルを露光用に使うこともできる。
【００７２】
[0079]  図１を参照すると、イルミネータＩＬは、ソースコレクタモジュールＳＯから極端紫外線（ＥＵＶ）放射ビームを受ける。ＥＵＶ放射を生成する方法としては、ＥＵＶ範囲の１つ以上の発光線を用いて材料を少なくとも１つの元素、例えばリチウムまたはスズを有するプラズマ状態に変換することが含まれるが、必ずしもこれに限定されない。レーザ生成プラズマ（「ＬＰＰ」）と呼ばれることが多いそのような方法において、必要な線発光素子を有する材料の小滴などの燃料をレーザビームで照射することによって、必要なプラズマを生成することができる。ソースコレクタモジュールＳＯは、燃料を励起するレーザビームを供給するための図１に示されないレーザを含むＥＵＶ放射源の一部であってよい。結果として得られるプラズマは、出力放射、例えばＥＵＶ放射を放出し、この出力放射は、ソースコレクタモジュール内に配置される放射コレクタを使用して集光される。
【００７３】
[0080]  例えば、ＣＯ２レーザを用いて燃料励起のためのレーザビームを供給する場合、レーザおよびソースコレクタモジュールは、別個の構成要素であってもよい。そのような場合には、放射ビームは、レーザからソースコレクタモジュールへ、例えば、適切な誘導ミラーおよび／またはビームエキスパンダを含むビームデリバリシステムを使って送られる。レーザおよび燃料供給（例えば、燃料小滴ジェネレータ）は、ＥＵＶ放射源を含むとみなすことができる。
【００７４】
[0081]  イルミネータＩＬは、放射ビームの角強度分布を調節するアジャスタを含むことができる。一般に、イルミネータの瞳面内の強度分布の少なくとも外側および／または内側半径範囲（通常、それぞれσ-outerおよびσ-innerと呼ばれる）を調節することができる。さらに、イルミネータＩＬは、ファセット視野ミラーデバイスおよびファセット瞳ミラーデバイスといったさまざまな他のコンポーネントを含むことができる。イルミネータを使って放射ビームを調整すれば、放射ビームの断面に所望の均一性および強度分布をもたせることができる。
【００７５】
[0082]  放射ビームＢは、サポート構造（例えば、マスクテーブル）ＭＴ上に保持されているパターニングデバイス（例えば、マスク）ＭＡ上に入射して、パターニングデバイスによってパターン形成される。パターニングデバイス（例えば、マスク）ＭＡから反射された後、放射ビームＢは投影システムＰＳを通過し、投影システムＰＳは、基板Ｗのターゲット部分Ｃ上にビームの焦点をあわせる。第２ポジショナＰＷおよび位置センサシステムＰＳ２を使って（例えば、干渉計デバイス、リニアエンコーダ、または静電容量センサを用いて）、例えば、さまざまなターゲット部分Ｃを放射ビームＢの経路内に位置決めするように、基板テーブルＷＴを正確に動かすことができる。同様に、第１ポジショナＰＭおよび別の位置センサシステムＰＳ１を使い、パターニングデバイス（例えば、マスク）ＭＡを放射ビームＢの経路に対して正確に位置決めすることもできる。パターニングデバイス（例えば、マスク）ＭＡおよび基板Ｗは、マスクアライメントマークＭ１およびＭ２と、基板アライメントマークＰ１およびＰ２とを使って、位置合わせされてもよい。
【００７６】
[0083]  例示の装置は、以下に説明するモードのうち少なくとも１つのモードで使用できる。
【００７７】
[0084]  １．ステップモードにおいては、サポート構造（例えば、マスクテーブル）ＭＴおよび基板テーブルＷＴを基本的に静止状態に保ちつつ、放射ビームに付けられたパターン全体を一度にターゲット部分Ｃ上に投影する（すなわち、単一静的露光）。その後、基板テーブルＷＴは、Ｘおよび／またはＹ方向に移動され、それによって別のターゲット部分Ｃを露光することができる。
【００７８】
[0085]  ２．スキャンモードにおいては、サポート構造（例えば、マスクテーブル）ＭＴおよび基板テーブルＷＴを同期的にスキャンする一方で、放射ビームに付けられたパターンをターゲット部分Ｃ上に投影する（すなわち、単一動的露光）。サポート構造（例えば、マスクテーブル）ＭＴに対する基板テーブルＷＴの速度および方向は、投影システムＰＳの（縮小）拡大率および像反転特性によって決めることができる。
【００７９】
[0086]  ３．別のモードにおいては、プログラマブルパターニングデバイスを保持した状態で、サポート構造（例えば、マスクテーブル）ＭＴを基本的に静止状態に保ち、また基板テーブルＷＴを動かす、またはスキャンする一方で、放射ビームに付けられているパターンをターゲット部分Ｃ上に投影する。このモードにおいては、通常、パルス放射源が採用されており、さらにプログラマブルパターニングデバイスは、基板テーブルＷＴの移動後ごとに、またはスキャン中の連続する放射パルスと放射パルスとの間に、必要に応じて更新される。この動作モードは、前述の型のプログラマブルミラーアレイといったプログラマブルパターニングデバイスを利用するマスクレスリソグラフィに容易に適用することができる。
【００８０】
[0087]  上述の使用モードの組合せおよび／またはバリエーション、あるいは完全に異なる使用モードもまた採用可能である。
【００８１】
[0088]  図２は、ソースコレクタモジュールＳＯと、照明システムＩＬと、投影システムＰＳとを備えるリソグラフィ装置１００をより詳細に示している。ソースコレクタモジュールＳＯは、真空環境をソースコレクタモジュールＳＯの囲い構造２２０内に維持することができるように構築および配置される。
【００８２】
[0089]  レーザＬＡは、燃料供給源または燃料小滴ジェネレータ２００から供給される、スズ（Ｓｎ）またはリチウム（Ｌｎ）の燃料小滴などの燃料内にレーザビーム２０５を介してレーザエネルギーを堆積させるように配置され、それによって電子温度が数１０ｅＶの高電離プラズマ２１０が生成される。イオンの脱励起および再結合中に生成されたエネルギー放射は、プラズマから放出され、近法線入射コレクタ光学系ＣＯによって集光され、集束される。
【００８３】
[0090]  第２レーザ（図示せず）を設けることができ、この第２レーザは、レーザビーム２０５が燃料に入射する前に、燃料を予熱するように構成される。この手法を用いるＬＰＰ源は、デュアルレーザパルシング（ＤＬＰ）源と呼ばれることがある。
【００８４】
[0091]  コレクタ光学系ＣＯによって反射された放射は、仮想放射源点ＩＦに集束される。仮想放射源点ＩＦは、一般に中間焦点と呼ばれ、ソースコレクタモジュールＳＯは、中間焦点ＩＦが囲い構造２２０の開口２２１に、または開口２２１の付近に位置するように配置される。仮想放射源点ＩＦは放射放出プラズマ２１０の像である。
【００８５】
[0092]  その後、放射は照明システムＩＬを横切る。照明システムＩＬは、パターニングデバイスＭＡにおける放射ビーム２１の所望の角度分布およびパターニングデバイスＭＡにおける放射強度の所望の均一性を与えるように配置されたファセット視野ミラーデバイス２２およびファセット瞳ミラーデバイス２４を含み得る。パターニングデバイスＭＡで放射ビーム２１が反射されると、パターン付きビーム２６が形成され、パターン付きビーム２６は、投影システムＰＳによって、反射エレメント２８および３０を介して、基板テーブルＷＴによって保持された基板Ｗ上に結像される。
【００８６】
[0093]  一般に、図示されたエレメントより数の多いエレメントが照明システムＩＬおよび投影システムＰＳに存在してよい。さらに、図示されたミラーより数の多いミラーが存在してよい。例えば、図２に示すものと比較して、投影システムＰＳ内に追加の１つ〜６つの反射エレメントが存在してよい。
【００８７】
[0094]  図３Ａ〜図３Ｃは、本発明において用いられるフィルタアセンブリの第１実施形態を概略的に示している。図３Ａは上面斜視図であって、上に剛性サポートプレート３００の第２面が、下にフィルタ膜３０４を支持する第１面が位置している。図３Ｂは、剛性サポートプレート３００の第２面の第２開口３０３を通して上方から見たチャネル３０１の拡大図である。図３Ｃは、剛性サポートプレート３００とチャネル３０１との一部を通る断面図である。
【００８８】
[0095]  この第１実施形態において、第１面の開口３０２から第２面の開口３０３まで剛性サポートプレート３００を貫通する単一のチャネル３０１は１つしか存在しない。穴３０５がフィルタ膜３０４に存在し、そのような複数の間隔をおいて配置された穴は、剛性サポートプレート３００の第１面の開口３０２にわたって延在する膜３０４の一部に存在する。
【００８９】
[0096]  この第１実施形態について、剛性サポートプレートは、３８０μｍの厚さを有する単結晶シリコンウェーハであり、剛性サポートプレート３００のディスクの直径は３ｍｍである。剛性サポートプレートの第１面の第１開口の寸法は、９０μｍ×９０μｍであり、第１開口３０２にわたって延在する、フィルタ膜３０４の穴３０５は、０．８μｍの直径を有し、５μｍのピッチで互いに間隔をおいて配置されている。フィルタ膜層３０４の厚さは、１．５μｍである。ここでの寸法は例に過ぎず、とりわけ重要ではないので、特定の用途に応じて調整されてよい。
【００９０】
[0097]  膜層３０４は、チャネル３０１または穴３０５のエッチングに先立って、単結晶シリコンウェーハの第１面上に低圧化学蒸着法によって成長させたシリコン窒化層から形成される。チャネル３０１は、シリコン窒化層３０４が耐性を有するエッチング剤を用いてシリコンの異方性ウェットエッチングにより剛性サポートプレートに形成される。これによって、フィルタ膜３０４が第１開口３０２にわたって、実質的にエッチングされずに依然として延在しながら、チャネル３０１が形成されることが可能になる。その後、穴３０５は、フィルタ膜３０４にエッチング形成される。
【００９１】
[0098]  図示の実施形態において、開口の形状は正方形であるが、単結晶シリコンウェーハの他の配向を用いて、チャネル３０１に対する異なるトポグラフィを提供してよい。例えば、＜１００＞シリコン面を用いて正方形の開口を提供することができ、＜１１０＞面を用いてスリットなどの長方形の開口を提供することができる。スリットの形をとる開口の利点は、剛性サポートプレートが過剰に強度を失うことなく、スリットを互いに間隔を空けてより近接して配置することができることである。
【００９２】
[0099]  第２面から行われる、第２開口３０３における孔を有するマスクを用いた異方性ウェットエッチングは、図示の実施形態で用いられる＜１００＞シリコン面の、逆向きの切頂錐体形状のチャネル３０１につながる。
【００９３】
[00100]  この実施形態では１つのチャネル３０１しか示されていないが、サポートプレート３００の構造的剛性が過度に弱まらないように複数のチャネルが互いに十分に離れて間隔を空けて配置され得るならば、複数のチャネルを単一のフィルタアセンブリに形成することができる。図示の構造に関して、複数のチャネルは、例えば２ｍｍのピッチを有し得る。
【００９４】
[00101]  図４Ａ〜図４Ｃは、本発明とともに用いられるフィルタアセンブリの第２実施形態を概略的に示している。図４Ａは上面斜視図であって、上に剛性サポートプレート３００の第２面が、下にフィルタ膜３０４を支持する第１面が位置している。図４Ｂは、剛性サポートプレート３００の第２面の第２開口３０３を通して上方から見たチャネル３０１の拡大図である。図４Ｃは、剛性サポートプレート３００とチャネル３０１との一部を通る断面図である。
【００９５】
[00102]  この第２実施形態において、複数のチャネル３０１は、第１面の開口３０２から第２面の開口３０３まで剛性サポートプレート３００を貫通する。穴３０５は、第１開口３０２と位置合わせされたフィルタ膜３０４に存在し、そのような間隔をおいて配置された複数の穴は、剛性サポートプレート３００の第１面の各開口３０２にわたって延在する膜３０４に存在する。
【００９６】
[00103]  この第２実施形態について、剛性サポートプレートは、再び、３８０μｍの厚さを有する単結晶シリコンウェーハであり、剛性サポートプレートのディスクの直径は３ｍｍである。剛性サポートプレートの第１面の円状の第１開口の寸法は、直径４０μｍで、８０μｍのピッチで互いに間隔をおいて配置され、各第１開口３０２にわたって延在するフィルタ膜３０４の穴３０５は、１．５μｍの直径を有し、５μｍのピッチで互いに間隔をおいて配置される。膜の厚さは、再び１μｍである。第１実施形態と同様に、寸法は特に重要でなく、特定の用途に応じて変更して、例えば、フィルタアセンブリのサイズを燃料供給ラインまたはノズルアセンブリの入口開口の断面積に整合させてよい。
【００９７】
[00104]  膜層３０４は、チャネル３０１または穴３０５のエッチングの前にシリコンウェーハの第１面上に成長させたシリコン窒化層である。チャネル３０１は、本明細書において前述したとおり、ＤＲＩＥエッチング技術によって剛性サポートプレート３００に形成される。シリコン窒化層３０４は、ＤＲＩＥエッチングに対して耐性がある。これによって、フィルタ膜３０４が第１開口３０２にわたって、実質的にエッチングされずに依然として延在しながら、チャネル３０１が形成されることが可能になる。その後、穴３０５がフィルタ膜３０４にエッチング形成される。第２面から行われる、各第２開口３０３における孔を有するマスクを用いたＤＲＩＥエッチングは、剛性サポートプレート３００の第２面および第１面に対して実質的に垂直な側壁を有するチャネル３０１が形成されることにつながる。
【００９８】
[00105]  第１実施形態と比較すると、ウェット異方性エッチングの代わりに用いられるＤＲＩＥエッチングプロセスは、剛性サポートプレートが過剰に強度を失うことなく、チャネル３０１を互いにより近接して詰めることを可能にする。これによって、溶融金属燃料の濾過を行うための多数の穴３０５を有するとともに、高い差圧に耐えることが可能なフィルタアセンブリの潜在的な利点が提供される。
【００９９】
[00106]  フィルタ膜は、剛性サポートプレートの第１面に接合可能な適切な材料から形成することができるが、エピタキシャル成長、化学気相蒸着、酸化などの成長によって剛性サポートプレートの第１面上に設けることが可能な材料から形成されることが適切である。これによって、接合に関するあらゆる要件が解消される。というのは、フィルタ膜を適当な位置に成長させることができ、従って剛性サポートプレート３００の第１面に本来的に接合されるからである。例えば、剛性サポートプレート３００がシリコンで形成される場合、膜は、適切には、シリカ、アルミナ、窒化シリコンなどの層から形成することができる。好ましくは、剛性サポートプレートはシリコンから形成され、膜は窒化シリコンから形成される。というのは、フィルタアセンブリを提供するために、これらの材料を都合よく独立してエッチングすることができるからである。
【０１００】
[0100]  フィルタ膜３０４の比較的小さい直径の穴は、膜３０４が穴の直径より小さい厚さを有することが好ましいことを意味するので、穴を形成するために簡単なエッチング技術を用いればよい。ただし、これは、比較的脆いフィルタ膜につながる場合がある。本発明のフィルタアセンブリの構成によって、直径約２μｍ以下の穴を有する比較的薄い膜がチャネルの第１開口上でサポートプレートによって支持されることが可能になり、それによって、使用中フィルタ膜にわたる差圧にさらされるフィルタ膜の各部分の面積は、各部分にわたって発生する力を膜の破壊なしに維持することができる程度に十分に小さい。
【０１０１】
[0101]  ＭＥＭＳ製造技術の使用により、従来のフィルタに伴う粒子状汚染物質のリスク（金属粒子が元来存在する場合）が回避または軽減され得るようにクリーンルーム条件のもとでそのような構造を設計することが可能になる。
【０１０２】
[0102]  剛性サポートプレート３００は、使用中のフィルタアセンブリにわたる圧力降下という理由で、使用中、溶融金属燃料の濾過の間に発生する力に耐えるように設計されなければならず、従って、チャネルに対して選択された相互間隔はこれを可能にしなければならない。平行に隔壁されたチャネルを生成するためにＤＲＩＥなどの等方性エッチングを用いることによって、ウェットエッチングと比較して近いチャネル間隔を達成することが可能になり、特定のサイズのフィルタアセンブリについてより大きい割合の濾過領域が可能になる。
【０１０３】
[0103]  フィルタアセンブリ全体は、窒化シリコンの薄層などの溶融金属燃料に不溶性の材料の層で被覆することができる。この層は、厚さ１μｍ未満、例えば、厚さ０．５μｍ未満とすることができる。この層は、溶融スズなどの溶融金属燃料による溶解に対して耐性があり、フィルタアセンブリがエッチングされてチャネルおよび穴を設けた後に、例えばプラズマ堆積または化学気相蒸着によって都合よく堆積することができる。この構成は、クリーンルーム条件のもとでの準備にも適している。
【０１０４】
[0104]  図５は、本発明とともに用いられることに適した燃料小滴ジェネレータ２００の第１実施形態の一部の概略断面図である。燃料小滴ジェネレータのこの第１実施形態は、燃料供給ライン５００と、燃料ラインの端部に固定されたコネクタ５０２とを備える。コネクタ５０２は、ノズルアセンブリにつながるとともに、燃料は図示の方向Ａに流れる。ノズルアセンブリの残りの部分は図示されていない。供給ラインの遠位端部にねじ山がつけられ、環状のねじ込みキャップ５０４がコレクタを所定の位置に保持し、供給ラインの遠位端部上にねじ込まれ、かつコネクタの肩５０３を把持する。
【０１０５】
[0105]  コネクタ５０２の遠位端部において、剛性サポートプレート３００およびフィルタ膜３０４からなるフィルタアセンブリは、燃料供給ライン５００からコネクタ５０２を介して流れる溶融燃料５０１が最初にフィルタ膜３０４を通過して、チャネル３０１を通過するように位置合わせされたチャネル３０１とともに保持される。溶融金属燃料による溶解に耐えるように設計されたポリイミドシールなどのシール５０５は、フィルタアセンブリ３００全体をコネクタ５０２の遠位端部内に封止する。
【０１０６】
[0106]  従って、この実施形態について、フィルタアセンブリはコネクタ内に保有される。本発明の範囲内の他の変更は、前述の記載から明らかであろう。例えば、特定の適切な構成は、コネクタの端部に接合されたフィルタアセンブリ３００、３０４を有し、コネクタおよびフィルタアセンブリは単一の交換ノズルアセンブリの一部を形成する。そのような構成では、ノズルが閉塞または摩耗した場合、またはフィルタが閉塞した場合、フィルタを含むノズルアセンブリ全体を単一の組立体として交換することができ、固体粒子不純物による汚染のリスクがあるシールの操作の必要性が回避される。
【０１０７】
[0107]  接合フィルタアセンブリを含むそのような交換ノズルアセンブリは、クリーンルーム条件のもとで作成され、その後、気密封止パッケージにおいて用いるために搬送されて、ノズルアセンブリを交換する際に、再び粒子状汚染物質のリスクを最小にすることができる。
【０１０８】
[0108]  通常のノズルについて、ノズルは、例えば、１０ミクロン、５ミクロン、３ミクロン、またはあらゆる適切な値の出口オリフィスの直径を有し得る。従って、穴３０５の直径は、ノズルの直径より小さくなるように、例えば、ノズルの出口オリフィスの最小直径の５０％〜９０％の直径を有することによって選択することができ、そのため、ノズル閉塞を招き得るサイズの固体粒子不純物は、フィルタアセンブリによって捕捉される。
【０１０９】
[0109]  本装置の第二の態様は、放射ビームを生成するように配置される、本発明の第一の態様の放射源を備えるリソグラフィ装置であって、放射ビームを調整するように構成された照明システムと、放射ビームの断面にパターンを与えてパターン形成された放射ビームを形成可能であるパターニングデバイスを支持するように構築されたサポートと、基板を保持するように構築された基板テーブルと、パターン形成された放射ビームを基板のターゲット部分上に投影するように構成された投影システムと、をさらに備える、リソグラフィ装置を提供する。
【０１１０】
[0110]  本明細書において、ＩＣ製造におけるリソグラフィ装置の使用について具体的な言及がなされているが、本明細書記載のリソグラフィ装置が、集積光学システム、磁気ドメインメモリ用のガイダンスパターンおよび検出パターン、フラットパネルディスプレイ、液晶ディスプレイ（ＬＣＤ）、薄膜磁気ヘッド、ＬＥＤ、フォトニックデバイス等の製造といった他の用途を有し得ることが理解されるべきである。当業者にとっては当然のことであるが、そのような別の用途においては、本明細書で使用される「ウェーハ」または「ダイ」という用語はすべて、それぞれより一般的な「基板」または「ターゲット部分」という用語と同義であるとみなしてよい。本明細書に記載した基板は、露光の前後を問わず、例えば、トラック（通常、基板にレジスト層を塗布し、かつ露光されたレジストを現像するツール）、メトロロジーツール、および／またはインスペクションツールで処理されてもよい。適用可能な場合には、本明細書中の開示内容を上記のような基板プロセシングツールおよびその他の基板プロセシングツールに適用してもよい。さらに基板は、例えば、多層ＩＣを作るために複数回処理されてもよいので、本明細書で使用される基板という用語は、すでに多重処理層を包含している基板を表すものとしてもよい。
【０１１１】
[0111]  光リソグラフィの関連での本発明の実施形態の使用について上述のとおり具体的な言及がなされたが、当然のことながら、本発明は、他の用途、例えば、インプリントリソグラフィに使われてもよく、さらに状況が許すのであれば、光リソグラフィに限定されることはない。インプリントリソグラフィにおいては、パターニングデバイス内のトポグラフィによって、基板上に創出されるパターンが定義される。パターニングデバイスのトポグラフィは、基板に供給されたレジスト層の中にプレス加工され、基板上では、電磁放射、熱、圧力、またはそれらの組合せによってレジストは硬化される。パターニングデバイスは、レジストが硬化した後、レジスト内にパターンを残してレジストの外へ移動される。
【０１１２】
[0112]  「レンズ」という用語は、文脈によっては、屈折、反射、磁気、電磁気、および静電型光学コンポーネントを含む様々な種類の光学コンポーネントのいずれか１つまたはこれらの組合せを指すことができる。
【０１１３】
[0113]  「ＥＵＶ放射」という用語は、５〜２０ｎｍの範囲内、例えば、１３〜１４ｎｍの範囲内、または例えば、６．７ｎｍや６．８ｎｍなどの５〜１０ｎｍの範囲内の波長を有する電磁放射を包含していると考えてもとよい。
【０１１４】
[0114]  以上、本発明の具体的な実施形態を説明してきたが、本発明は、上述以外の態様で実施できることが明らかである。上記の説明は、制限ではなく例示を意図したものである。従って、当業者には明らかなように、添付の特許請求の範囲を逸脱することなく本記載の発明に変更を加えてもよい。
【０１１５】
[0115]  本明細書で「好ましい（preferable）」、「好ましくは（preferably）」、「好ましい（preferred）」「より好ましい（more preferred）」などの語を使用することは、そのように記述されたある特徴が望ましいことがあることを示唆するとはいえ、その特徴が必要ではないこともあり、このような特徴を欠いている実施形態が、添付の特許請求の範囲に定義された本発明の範囲内にあるとして企図され得ることを理解されたい。特許請求の範囲に関連して、「１つの（a, an）」、「少なくとも１つの（at least one）」、または「少なくとも１つの部分（at least one portion）」などの語が、ある特徴の前置きに使用された場合、このような１つの特徴だけに特許請求の範囲を限定する意図は、特許請求の範囲に逆のことが特に提示されない限り、ないものとする。「少なくとも一部分（at least a portion）」および／または「一部分（a portion）」という言葉が使用された場合、その項目は、逆のことが特に提示されない限り、一部分および／または項目全体を含み得る。
【図１】
2017083883.tif 000005
【図２】
2017083883.tif 000006
【図３】
2017083883.tif 000007
【図４】
2017083883.tif 000008
【図５】
2017083883.tif 000009
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
燃料の小滴の流れを提供する燃料小滴ジェネレータと、前記燃料の小滴の少なくともいくつかを気化させる少なくとも１つのレーザとを有し、それによって放射が生成される放射源であって、前記燃料小滴ジェネレータは、
ノズルと、
燃料供給ラインと、
リザーバと、
前記リザーバから前記燃料供給ラインを通って前記ノズルから小滴の流れとして出る溶融金属燃料の流れを供給するポンピングデバイスと、
前記燃料供給ライン内の、使用中に前記溶融金属燃料を濾過する交換可能なフィルタアセンブリであって、前記交換可能なフィルタアセンブリは、向かい合った第１面及び第２面を、１つ以上のチャネルとともに有する剛性サポートプレートを有し、前記各チャネルは、前記第１面の各第１開口から前記第２面の各第２開口を通って延在し、前記剛性サポートプレートは、前記第１面上の、前記第１面の各第１開口にわたって延在するフィルタ膜を支持する、交換可能なフィルタアセンブリと、を備え、
前記フィルタ膜は、互いに間隔を空けた穴を備え、各第１開口は、複数の前記穴と位置合わせされて前記複数の穴と前記各チャネルとの間に流体接続を提供し、
前記燃料小滴ジェネレータは、
前記ノズルと前記燃料供給ラインとの間の流体接続を提供するコネクタを備え、
前記フィルタアセンブリは、使用中、前記コネクタ内に保有される、放射源。
【請求項２】
前記燃料小滴ジェネレータは、
前記ノズルと前記コネクタとを備えるノズルアセンブリを備える、請求項１に記載の放射源。
【請求項３】
前記ノズルアセンブリは、交換可能なノズルアセンブリである、請求項２に記載の放射源。
【請求項４】
前記コネクタは、使用中、前記燃料供給ラインと前記ノズルアセンブリの入口オリフィスとの間に前記フィルタアセンブリを解放可能に保持するように適合される、請求項２又は３に記載の放射源。
【請求項５】
前記交換可能なノズルは、使用中、前記燃料供給ラインと前記ノズルアセンブリの入口オリフィスとの間に前記フィルタアセンブリを解放可能に保持するように適合される、請求項２又は３に記載の放射源。
【請求項６】
前記フィルタアセンブリは、前記ノズルアセンブリの前記入口オリフィスに接合され、それによって前記交換可能なノズル及び前記フィルタアセンブリは、単一のコンポーネントを形成する、請求項２又は３に記載の放射源。
【請求項７】
前記剛性サポートプレートは、シリコンウェーハである、請求項１から６の何れか１項に記載の放射源。
【請求項８】
前記フィルタ膜は、シリコン窒化膜である、請求項１から７の何れか１項に記載の放射源。
【請求項９】
前記第１開口は、１００μｍの最大幅を有し、前記穴は３μｍの最大幅を有する、請求項１から８の何れか１項に記載の放射源。
【請求項１０】
前記フィルタアセンブリは、前記溶融金属燃料に不溶性の材料の層で被覆される、請求項１から９の何れか１項に記載の放射源。
【請求項１１】
リソグラフィ装置であって、
請求項１から１０の何れか１項に記載の放射源と、
放射ビームを調整する照明システムと、
前記放射ビームの断面にパターンを与えてパターン形成された放射ビームを形成可能であるパターニングデバイスを支持するサポートと、
基板を保持する基板テーブルと、
前記パターン形成された放射ビームを前記基板のターゲット部分上に投影する投影システムと、を備える、
リソグラフィ装置。
【請求項１２】
デバイスリソグラフィ用の放射源において用いられる燃料の小滴の流れを提供するための、ノズルと、燃料供給ラインと、リザーバと、前記リザーバから前記燃料供給ラインを通って前記ノズルから小滴の流れとして出る溶融金属燃料の流れを供給するポンピングデバイスと、を備える燃料小滴ジェネレータであって、
前記燃料小滴ジェネレータは、前記燃料供給ライン内に、使用中に前記溶融金属燃料を濾過するフィルタアセンブリを有し、
前記フィルタアセンブリは、向かい合った第１面及び第２面を、１つ以上のチャネルとともに有する剛性サポートプレートを備え、前記各チャネルは、前記第１面の各第１開口から前記第２面の各第２開口を通って延在し、
前記剛性サポートプレートは、前記第１面に接合され、かつ前記第１面の各第１開口にわたって延在するフィルタ膜を支持し、
前記フィルタ膜は、互いに間隔を空けた穴を備え、各第１開口は、複数の前記穴と位置合わせされて前記複数の穴と前記各チャネルとの間に流体接続を提供し、
前記燃料小滴ジェネレータは、
前記ノズルと前記燃料供給ラインとの間の流体接続を提供するコネクタを備え、
前記フィルタアセンブリは、使用中、前記コネクタ内に保有される、燃料小滴ジェネレータ。
【請求項１３】
デバイスリソグラフィのための、レーザ励起により溶融金属燃料の小滴の流れを提供し
て放射源を提供するための燃料小滴ジェネレータ用の溶融金属燃料の供給を濾過する方法であって、前記燃料小滴ジェネレータは、ノズルと、燃料供給ラインと、リザーバと、前記リザーバから前記燃料供給ラインを通って前記ノズルから小滴の流れとして出る溶融金属燃料の流れを供給するポンピングデバイスと、を備え、前記方法は、
前記燃料供給ライン内に、使用中に前記溶融金属燃料を濾過する交換可能なフィルタアセンブリを挿入かつ保有することであって、前記交換可能なフィルタアセンブリは、向かい合った第１面及び第２面を、１つ以上のチャネルとともに有する剛性サポートプレートを備え、前記各チャネルは、前記第１面の各第１開口から前記第２面の各第２開口を通って延在することと、
前記第１面上の、前記第１面の各第１開口にわたって延在するフィルタ膜を支持することと、を含み、
前記フィルタ膜は、互いに間隔を空けた穴を備え、各第１開口は、複数の前記穴と位置合わせされて前記複数の穴と前記各チャネルとの間に流体接続を提供し、
前記燃料小滴ジェネレータは、
前記ノズルと前記燃料供給ラインとの間の流体接続を提供するコネクタを備え、
前記フィルタアセンブリは、使用中、前記コネクタ内に保有される、方法。
【請求項１４】
前記交換可能なフィルタアセンブリの前記挿入は、クリーンルーム条件のもとで行われる、請求項１３に記載の方法。
【請求項１５】
前記燃料小滴ジェネレータは、前記ノズルと前記コネクタとを備えるノズルアセンブリを備える、請求項１３又は１４に記載の方法。
【請求項１６】
前記コネクタは、使用中、前記燃料供給ラインと前記ノズルアセンブリの入口オリフィスとの間に前記フィルタアセンブリを解放可能に保有するように適合される、請求項１５に記載の方法。
【請求項１７】
前記交換可能なノズルは、使用中、前記燃料供給ラインと前記ノズルアセンブリの入口オリフィスとの間に前記フィルタアセンブリを保有するように適合される、請求項１５に記載の方法。
【請求項１８】
前記フィルタアセンブリは、前記ノズルアセンブリの前記入口オリフィスに接合され、それによって前記交換可能なノズル及び前記フィルタアセンブリは、単一のコンポーネントを形成する、請求項１５に記載の方法。
【請求項１９】
前記フィルタアセンブリは、クリーンルーム条件のもとで前記ノズルの前記入口オリフィスに接合され、挿入前に気密封止パッケージに収納される、請求項１８に記載の方法。
【請求項２０】
前記剛性サポートプレートは、クリーンルーム条件のもとで、ウェーハをエッチングすることによって形成される、請求項１３から１９の何れか１項に記載の方法。
【請求項２１】
前記フィルタ膜は、クリーンルーム条件のもとで、前記第１面上への膜層の成長と、前記膜層のエッチングとによって形成される、請求項２０に記載の方法。
【外国語明細書】
2017083883000001.pdf